(57)【要約】      （修正有）【課題】工程数を増加させず、表示品位に優れたＩＰＳ（Ｉｎ−Ｐｌａｎｅ  Ｓｗｉｔｃｈｉｎｇ）型液晶表示装置を提供する。【解決手段】液晶表示装置は、一対の基板、一方の基板に設けられた第１電極及び第２電極と第１引き回し配線と第２引き回し配線、一対の基板の相互間に設けられた液晶層を備える。第１電極と第２電極は、それぞれ複数の電極枝を有する櫛歯形状であり、第１電極の各電極枝と第２電極の各電極枝が互いのエッジ間を第１距離で離間させて互い違いに配置されており、第１引き回し配線と第２引き回し配線は、少なくとも、互いが隣り合って配置された領域において各々のエッジの方向が電圧無印加時における液晶層の層厚方向における略中央の液晶分子の配向方向に対して略平行又は略直交となるように配置されており、互いが隣り合って配置された領域における第１引き回し配線と第２引き回し配線のエッジ間が第２距離で離間している。【選択図】図１６
2014016579.tif 000002
【特許請求の範囲】
【請求項１】
定型の文字又は図柄を表示する表示部を備えた液晶表示装置であって、
対向配置された一対の基板と、
前記一対の基板のうちの一方の基板の一面側に設けられており、前記表示部を画定する第１電極及び第２電極と、
前記一方の基板の一面側に設けられ、前記第１電極と接続された第１引き回し配線と、
前記一方の基板の一面側に設けられ、前記第２電極と接続された第２引き回し配線と、
前記一対の基板の相互間に設けられた液晶層と、
を含み、
前記第１電極と前記第２電極は、それぞれ複数の電極枝を有する櫛歯形状であり、前記第１電極の各電極枝と前記第２電極の各電極枝が互いのエッジ間を第１距離で離間させて互い違いに配置されており、
前記第１引き回し配線と前記第２引き回し配線は、少なくとも、互いが隣り合って配置された領域において各々のエッジの方向が電圧無印加時における前記液晶層の層厚方向における略中央の液晶分子の配向方向に対して略平行又は略直交となるように配置されており、当該互いが隣り合って配置された領域における前記第１引き回し配線と前記第２引き回し配線のエッジ間が第２距離で離間している、
液晶表示装置。
【請求項２】
前記第２距離が前記第１距離の３倍以上に設定されている、
請求項１に記載の液晶表示装置。
【請求項３】
前記第１電極と前記第２電極は、各々の前記複数の電極枝のエッジの方向と前記液晶層の層厚方向における略中央の液晶分子の配向方向のなす角度が略４５°に設定されており、
前記第２距離が前記第１距離の１．５倍以上に設定されている、
請求項１に記載の液晶表示装置。
【請求項４】
前記第１電極と前記第２電極は、各々の前記複数の電極枝のエッジが屈曲している、
請求項３に記載の液晶表示装置。
【請求項５】
定型の文字又は図柄を表示する表示部を備えた液晶表示装置であって、
対向配置された一対の基板と、
前記一対の基板のうちの一方の基板の一面側に設けられており、前記表示部を画定する第１電極及び第２電極と、
前記一方の基板の一面側に設けられ、前記第１電極と接続された第１引き回し配線と、
前記一方の基板の一面側に設けられ、前記第２電極と接続された第２引き回し配線と、
前記一対の基板の相互間に設けられた液晶層と、
を含み、
前記第１電極と前記第２電極は、それぞれ複数の電極枝を有する櫛歯形状であり、前記第１電極の各電極枝と前記第２電極の各電極枝が互いのエッジ間を第１距離で離間させて互い違いに配置されており、
前記第１電極と前記第２電極の各々の前記複数の電極枝のエッジの方向と電圧無印加時における前記液晶層の層厚方向における略中央の液晶分子の配向方向のなす角度が１５°以上４５°以下に設定されており、
前記第１引き回し配線と前記第２引き回し配線は、少なくとも、互いに隣り合って配置された領域において各々のエッジの方向と前記複数の電極枝のエッジの方向とのなす角度が１０°以上に設定されており、
前記第１引き回し配線と前記第２引き回し配線の各エッジの方向と電圧無印加時における前記液晶層の層厚方向における略中央の液晶分子の配向方向とのなす角度の方が前記第１電極と前記第２電極の各々の前記複数の電極枝のエッジの方向と前記液晶層の層厚方向における略中央における液晶分子とのなす角度よりも０°に近いか又は９０°に近い大きさである、
液晶表示装置。
【請求項６】
前記第２距離が前記第１距離の１．５倍以上に設定されている、
請求項５に記載の液晶表示装置。
【発明の詳細な説明】
【技術分野】
【０００１】
本発明は、基板面に水平方向の電界を用いて液晶層を駆動する液晶表示装置に関する。
【背景技術】
【０００２】
一般的な液晶表示装置は、液晶層を挟んで対向配置された一対の基板のそれぞれに電極が設けられており、それらの電極を用いて基板面に垂直な方向に電界を発生させて液晶層の配向状態を変化させることにより明暗表示を実現する。このような液晶表示装置では、電界印加時に液晶層の液晶分子が基板面に対して傾斜して配向するため、傾斜方向が一方向に偏ることになり、明暗表示に視角依存性を生じる。
【０００３】
このような不都合を解消し、良好な視角特性を実現し得る液晶表示装置は、例えば特開昭５６−９１２７７号公報（特許文献１）や特開平７−７２４９１号公報（特許文献２）に開示されている。これら特許文献１，２に開示される液晶表示装置は、液晶層を挟んで対向配置される一対の基板のうち、片側基板の一面上にそれぞれ表示電極と共通電極を設け、両電極間を用いて基板面にほぼ水平な方向に電界を発生させて液晶層の配向状態を変化させることにより明暗表示を実現する。このような液晶表示装置は、電界印加時に液晶層の液晶分子が基板面に水平な状態のままで配向変化するため明暗表示に視角依存性を生じにくく、このため良好な視角特性を実現することができる。このような液晶表示装置はインプレーンスイッチング（ＩＰＳ：In-Plane Switching）型液晶表示装置と呼ばれる。特許文献１に開示の液晶表示装置は、表示電極と共通電極の各交差部に薄膜トランジスタ等の能動素子を設けて各画素をスイッチングするアクティブマトリクス駆動型である。他方、特許文献２に開示の液晶表示装置は、上記のような能動素子を用いない単純マトリクス駆動型である。
【０００４】
ところで、先行例のＩＰＳ型液晶表示装置は、いずれも複数の画素をマトリクス状に配置して画像表示を行うことを想定したものであるが、任意の表示部形状を有するセグメント表示型液晶表示装置に適した構造を提案するものではない。具体的には、先行例のＩＰＳ型液晶表示装置は、表示電極と対向電極、又はそれに接続される引き回し配線において必ず平面視において交差部分が存在しており、この交差部分は絶縁膜を介在させることにより絶縁が確保されている。このような絶縁膜を設けることは液晶表示装置の製造時における工程数を増加させる要因となる。ここで、特許文献１に開示の液晶表示装置では、能動素子を構成するためにパッシベーション膜を設けており、これを成膜するときに併せて上記した交差部分の絶縁膜を形成することができるため、製造時の工程数を増加させる要因とはなりにくい。しかしながら、一般にセグメント表示型液晶表示装置においては能動素子を設けないため、上記したような交差部分に絶縁膜を設けることにした場合には製造時の工程数が増加する懸念がある。他方で、交差部分を設けないようにする場合には、表示電極と対向電極の各々の対応した引き回し配線をすべて同一面上に配置する必要があることから、引き回し配線相互の配置間隔が狭くなる。このため、引き回し配線同士が近接した領域では意図しない電界が生じることによる異常点灯を引き起こし、表示品位を低下させるおそれがある。
【先行技術文献】
【特許文献】
【０００５】
【特許文献１】特開昭５６−９１２７７号公報
【特許文献２】特開平７−７２４９１号公報
【発明の概要】
【発明が解決しようとする課題】
【０００６】
本発明に係る具体的態様は、工程数を増加させず、表示品位に優れ、特にセグメント表示型に適したＩＰＳ型液晶表示装置を提供することを目的の１つとする。
【課題を解決するための手段】
【０００７】
本発明に係る一態様の液晶表示装置は、定型の文字又は図柄を表示する表示部を備えた液晶表示装置であって、（ａ）対向配置された一対の基板と、（ｂ）一対の基板のうちの一方の基板の一面側に設けられており、表示部を画定する第１電極及び第２電極と、（ｃ）一方の基板の一面側に設けられ、第１電極と接続された第１引き回し配線と、（ｄ）一方の基板の一面側に設けられ、第２電極と接続された第２引き回し配線と、（ｅ）一対の基板の相互間に設けられた液晶層を含み、（ｆ）第１電極と第２電極は、それぞれ複数の電極枝を有する櫛歯形状であり、第１電極の各電極枝と第２電極の各電極枝が互いのエッジ間を第１距離で離間させて互い違いに配置されており、（ｇ）第１引き回し配線と第２引き回し配線は、少なくとも、互いが隣り合って配置された領域において各々のエッジの方向が電圧無印加時における液晶層の層厚方向における略中央の液晶分子の配向方向に対して略平行又は略直交となるように配置されており、当該互いが隣り合って配置された領域における第１引き回し配線と第２引き回し配線のエッジ間が第２距離で離間している、ことを特徴とする液晶表示装置である。
【０００８】
上記構成によれば、工程数を増加させることなく、引き回し線部分における異常点灯が抑制されて表示品位に優れ、特にセグメント表示型に適したＩＰＳ型液晶表示装置が得られる。
【０００９】
上記の液晶表示装置においては、第２距離が第１距離の３倍以上に設定されていることが好ましい。
【００１０】
それにより、異常点灯をより確実に抑制することができる。
【００１１】
上記の液晶表示装置において、第１電極と第２電極が各々の前記複数の電極枝のエッジの方向と液晶層の層厚方向における略中央の液晶分子の配向方向のなす角度を略４５°に設定し、かつ第２距離が第１距離の１．５倍以上に設定されていることも好ましい。
【００１２】
それにより、第２距離をより小さく設定しつつ異常点灯を抑制することができる。
【００１３】
上記の液晶表示装置において、第１電極と第２電極は、各々の前記複数の電極枝のエッジが屈曲していることも好ましい。
【００１４】
それにより、電圧印加時に液晶層を複数のドメイン配向にすることができ、視角特性がより向上する。
【００１５】
本発明に係る他の態様の液晶表示装置は、定型の文字又は図柄を表示する表示部を備えた液晶表示装置であって、（ａ）対向配置された一対の基板と、（ｂ）一対の基板のうちの一方の基板の一面側に設けられており、表示部を画定する第１電極及び第２電極と、（ｃ）一方の基板の一面側に設けられ、第１電極と接続された第１引き回し配線と、（ｄ）一方の基板の一面側に設けられ、第２電極と接続された第２引き回し配線と、（ｅ）一対の基板の相互間に設けられた液晶層を含み、（ｆ）第１電極と第２電極は、それぞれ複数の電極枝を有する櫛歯形状であり、第１電極の各電極枝と第２電極の各電極枝が互いのエッジ間を第１距離で離間させて互い違いに配置されており、（ｇ）第１電極と第２電極の各々の複数の電極枝のエッジの方向と電圧無印加時における液晶層の層厚方向における略中央の液晶分子の配向方向のなす角度が１５°以上４５°以下に設定されており、（ｈ）第１引き回し配線と第２引き回し配線は、少なくとも、互いに隣り合って配置された領域において各々のエッジの方向と複数の電極枝のエッジの方向とのなす角度が１０°以上に設定されており、（ｉ）第１引き回し配線と第２引き回し配線の各エッジの方向と電圧無印加時における液晶層の層厚方向における略中央の液晶分子の配向方向とのなす角度の方が第１電極と第２電極の各々の複数の電極枝のエッジの方向と液晶層の層厚方向における略中央における液晶分子とのなす角度よりも０°に近いか又は９０°に近い大きさである、ことを特徴とする液晶表示装置である。
【００１６】
上記構成によっても、工程数を増加させることなく、引き回し線部分における異常点灯が抑制されて表示品位に優れ、特にセグメント表示型に適したＩＰＳ型液晶表示装置が得られる。
【００１７】
上記の液晶表示装置においては、第２距離が第１距離の１．５倍以上に設定されていることも好ましい。
【００１８】
それにより、異常点灯をより確実に抑制することができる。
【図面の簡単な説明】
【００１９】
【図１】図１は、参考例１の液晶表示装置の構成を示す断面図である。
【図２】図２は、参考例１の液晶表示装置における第１電極（セグメント電極）および引き回し配線の構成例を示す平面図である。
【図３】図３は、参考例１の液晶表示装置における第２電極（コモン電極）および引き回し配線の構成例を示す平面図である。
【図４】図４は、参考例１の液晶表示装置における第１電極と第２電極を一緒に示した平面図である。
【図５】図５（Ａ）は、第１電極と第２電極の詳細な構成例を示す平面図である。図５（Ｂ）は、第１電極と第２電極の他の詳細な構成例を示す平面図である。
【図６】図６（Ａ）は、Ｇ領域における顕微鏡観察写真を示す図であり、図６（Ｂ）は、Ｉ領域における顕微鏡観察写真を示す図であり、図６（Ｃ）は、Ｋ領域における顕微鏡観察写真を示す図である。
【図７】参考例２の液晶表示装置の電極構造を示す平面図である。
【図８】図８（Ａ）は、参考例２の液晶表示装置の第１電極と第２電極の間に０Ｖの駆動電圧を与えた際の顕微鏡観察像を示す図であり、図８（Ｂ）は、第１電極と第２電極の間に５Ｖの駆動電圧を与えた際の顕微鏡観察像を示す図であり、図８（Ｃ）は、第１電極と第２電極の間に７Ｖの駆動電圧を与えた際の顕微鏡観察像を示す図であり、図８（Ｄ）は、第１電極と第２電極の間に１０Ｖの駆動電圧を与えた際の顕微鏡観察像を示す図であり、図８（Ｅ）は、第１電極と第２電極の間に１２Ｖの駆動電圧を与えた際の顕微鏡観察像を示す図である。
【図９】図９は、上記した図４におけるＧ領域を拡大した平面図である。
【図１０】図１０は、参考例１の液晶表示装置に１５Ｖの駆動電圧を与えた際のＧ領域の顕微鏡観察像を示す図である。
【図１１】参考例３の液晶表示装置の電極構造を示す平面図である。
【図１２】図１２は、参考例３の液晶表示装置に対して、第１電極と第２電極の間に１５Ｖの駆動電圧を与えた際の顕微鏡観察像を示す図である。
【図１３】図１３は、実施例の液晶表示装置における第１電極（セグメント電極）および引き回し配線の構成例を示す平面図である。
【図１４】図１４は、実施例の液晶表示装置における第２電極（コモン電極）および引き回し配線の構成例を示す平面図である。
【図１５】図１５は、実施例の液晶表示装置における第１電極と第２電極を一緒に示した平面図である。
【図１６】図１６は、図１５におけるＧ領域を拡大した平面図である。
【図１７】図１７（Ａ）と図１７（Ｂ）は、それぞれ、実施例の液晶表示装置における第１電極と第２電極の詳細な構成例を示す平面図である。
【図１８】図１８は、表示部の輪郭に対応して階段状に形成された第１電極および第２電極の端部を例示する平面図である。
【発明を実施するための形態】
【００２０】
以下に、本発明の実施の形態について図面を参照しながら説明する。
【００２１】
（参考例）
図１は、参考例１の液晶表示装置の構成を示す断面図である。この液晶表示装置は、対向配置された第１基板１１および第２基板１２と、第１基板１１と第２基板１２の間に配置された液晶層１７を基本構成として備える。例えば、この液晶表示装置は、電極同士の重なり合う領域が表示したい文字や図案を直接的に形作るように構成され、基本的に予め定められた文字等、すなわち定型の文字等のみを表示可能であり、概ね、有効表示領域内における面積比で５０％以下程度の領域が文字等の表示に寄与するものであるセグメント表示型の液晶表示装置である。なお、液晶表示装置は、複数の画素がマトリクス状に配列されたドットマトリクス表示型とセグメント表示型が混在したものであってもよい。
【００２２】
第１基板１１および第２基板１２は、それぞれ例えばガラス基板、プラスチック基板等の透明基板である。図示のように、第１基板１１と第２基板１２は、所定の間隙（例えば３μｍ程度）を設けて貼り合わされている。第１基板１１と第２基板１２の間隙は、図示しない枠状のシール材に含有するロット状又は球状のスペーサーと、基板面内に均一に分散配置される球状スペーサーにより保持される。
【００２３】
第１電極１３、第２電極１４、引き回し配線（第１引き回し配線）２３、引き回し配線（第２引き回し配線）２４は、それぞれ第２基板１２の一面側に設けられている。第１電極１３は引き回し配線２３と接続されており、第２電極１４は引き回し配線２４と接続されている。これらの第１電極１３、第２電極１４および引き回し配線２３、２４は、それぞれ例えばインジウム錫酸化物（ＩＴＯ）などの透明導電膜を適宜パターニングすることによって構成されている。第１電極１３と第２電極１４は、ともに、複数の電極枝を連ねた櫛歯状電極であり、互いの電極枝が交互に噛み合うように配置されている。
【００２４】
第１配向膜１５は、第１基板１１の一面側に設けられている。第２配向膜１６は、第２基板１２の一面側に第１電極１３および第２電極１４を覆うようにして設けられている。これらの第１配向膜１５、第２配向膜１６としては、液晶層１７の配向状態を水平配向に規制する水平配向膜が用いられている。各配向膜にはラビング処理等の一軸配向処理が施されている。
【００２５】
液晶層１７は、第１基板１１と第２基板１２の間に設けられている。本実施形態においては、誘電率異方性Δεが負の液晶材料を用いて液晶層１７が構成される。本実施形態の液晶層１７は、電圧無印加時における液晶分子の配向方向が第１基板１１および第２基板１２の各基板面に対してほぼ水平となる水平配向に設定されている。
【００２６】
第１偏光板２１は、第１基板１１の外側に配置されている。同様に、第２偏光板２２は、第２基板１２の外側に配置されている。第１偏光板２１は、例えばその吸収軸が液晶層１７の液晶分子の配向方向に対して略平行に配置される。また、第２偏光板２２は、例えばその吸収軸が第１偏光板２１の吸収軸に対して略直交に配置される。なお、各偏光板と各基板との間には適宜Ｃプレート等の光学補償板が配置されてもよい。
【００２７】
図１に示すように、液晶表示装置の有効表示領域内は、第１電極１３および第２電極１４が配置された表示部（表示領域）３１と、引き回し配線２３または引き回し配線２４のみが配置された引き回し線部（引き回し線領域）３２と、電極と引き回し線のいずれも配置されていない非表示部（非表示領域）３３を含む。表示部３１においては第１電極１３と第２電極１４の各電極枝が一定間隔で交互に配置される。各引き回し配線２３、２４を介して第１電極１３と第２電極１４の間に電圧を印加することにより、第２基板１２の一面とほぼ平行な電界を液晶層１７へ与えることができる。それにより、表示部３１の液晶層１７の液晶分子の配向状態が変化し、明暗状態を制御することができる。
【００２８】
図２は、参考例１の液晶表示装置における第１電極（セグメント電極）および引き回し配線の構成例を示す平面図である。図２に示す第１電極１３は、「STANLEY」と「LCDs」の各文字を表示するために、それらの文字に対応した形状を有している。なお、図示を省略しているがこれら文字の部分は櫛歯状電極で構成されている。代表していくつかの第１電極１３にのみ符号を付す。各第１電極１３には、引き回し配線２３が接続されている。代表していくつかの引き回し配線２３にのみ符号を付す。外部取り出し電極端子２５は、図示しない外部駆動回路に接続するためのものであり、それぞれ引き回し配線２３と接続されている。
【００２９】
図３は、参考例１の液晶表示装置における第２電極（コモン電極）および引き回し配線の構成例を示す平面図である。図２に示す第２電極１４は、「STANLEY」と「LCDs」の各文字を表示するために、それらの文字に対応した形状を有している。なお、図示を省略しているがこれら文字の部分は櫛歯状電極で構成されている。代表していくつかの第２電極１４にのみ符号を付す。各第２電極１４には、引き回し配線２４が接続されている。代表していくつかの引き回し配線２４にのみ符号を付す。外部取り出し電極端子２６は、図示しない外部駆動回路に接続するためのものであり、それぞれ引き回し配線２４と接続されている。
【００３０】
図４は、参考例１の液晶表示装置における第１電極と第２電極を一緒に示した平面図である。なお、図４では第１電極１３と第２電極１４を識別する都合上、第２電極１４を点線により示している。図示のように、第１電極１３と第２電極１４はともに第２基板１２の同一面上に設けられる。
【００３１】
図５（Ａ）は、第１電極と第２電極の詳細な構成例を示す平面図である。この図では、図４の図中に示すＥ領域（「Ｙ」の文字の下側末端部分）における第１電極１３と第２電極１４の構成例が示されている。図示のように第１電極１３と第２電極１４は、それぞれの電極枝１３ａ、１４ａがｘ方向に沿って交互に配置されており、かつｙ方向に沿って延在している。各電極枝１３ａと各電極枝１４ａは、いずれも屈曲したエッジを有する。それぞれのエッジは、各電極枝の延在方向であるｙ方向に対して＋３°の角度をなす電極エッジと−３°の角度をなす電極エッジを交互に配置し、接続した構造を有する。各電極枝１３ａ、１４ａの電極幅は１５μｍであり、隣り合う電極枝１３ａと電極枝１４ａの配置間隔は１５μｍに設定されている。なお、電極幅と配置間隔は等しくなくてもよい。また、電極幅は５μｍ〜３０μｍ程度とすることが好ましい。
【００３２】
上記のように液晶層１７に負の誘電率異方性を有する液晶材料を用いる場合には、液晶層１７の層厚方向の略中央における液晶分子の配向方向４１は、例えば図示のように各電極枝１３ａ、１４ａの延在方向と直交する方向であるｘ方向へ設定することができる。なお、正の誘電率異方性を有する液晶材料を用いる場合には、例えば各電極枝１３ａ、１４ａの延在方向と平行な方向であるｙ方向へ設定することができる。これにより、屈曲するエッジの屈曲方向が異なる領域ごとに電圧印加時における液晶分子の面内回転方向を互いに逆にすることができるので、２ドメイン配向状態を実現し、視角特性の向上を図ることができる。
【００３３】
図５（Ｂ）は、第１電極と第２電極の他の詳細な構成例を示す平面図である。この図においても図４の図中に示すＥ領域（「Ｙ」の文字の下側末端部分）における第１電極１３と第２電極１４の構成例が示されている。図示のように第１電極１３と第２電極１４は、それぞれの電極枝１３ａ、１４ａがｘ方向に沿って交互に配置されており、かつｙ方向に対して時計回りに３°の角度をなす方向へ延在している。各電極枝１３ａ、１４ａの電極幅は１５μｍであり、隣り合う電極枝１３ａと電極枝１４ａの配置間隔は１５μｍに設定されている。なお、電極幅と配置間隔は等しくなくてもよい。また、電極幅は５μｍ〜３０μｍ程度とすることが好ましい。また、液晶層１７の液晶分子の配向方向４１については上記した通りである。このような構成の第１電極１３および第２電極１４を用いる場合には、電圧印加時における液晶分子の面内回転方向は表示部３１の全体で１つに限定される。
【００３４】
次に、参考例１の液晶表示装置について実際に作製し、その特性を評価した結果を説明する。参考例１の液晶表示装置は以下のように作製された。具体的には、一方の面に１０Ω/sq.のＩＴＯ膜が形成された０．７ｍｍ厚のガラス基板をフォトリソグラフィー工程とエッチング工程にてパターニングすることにより、第１電極および第２電極を有する第２基板を得た。他方で、第２基板と同じ種類のガラス基板を用いて、シール枠内に電極が一切配置されない第１基板を用意した。第１基板、第２基板の各一面に水平配向膜をフレキソ印刷法にてパターン印刷し、焼成後、ラビング処理を施した。一方の基板（例えば第１基板）に略３μｍ径のロッド状スペーサーを含有する枠状シール材を印刷し、もう一方の基板（例えば第２基板）に略３μｍのプラスチック製球状スペーサーを乾式散布法にて均等散布した。その後、両基板を重ね合わせ、プレス状態のままシール材を焼成することにより空セルを完成させた。この空セルに負の誘電率異方性を有する液晶材料を真空注入法にて注入し、セルをプレスしながら注入口に紫外線硬化樹脂を塗布し、プレス開放して注入口にわずかに樹脂が吸い込まれた状態において紫外線を照射することにより注入口を封止した。なお、第１電極および第２電極は上記した図５（Ａ）に示したような屈曲した電極エッジを有するタイプとした。液晶層は一軸配向状態とし、その層厚方向の略中央における液晶分子の配向方向は第１電極および第２電極の各電極枝の延在方向に対して略直交するようにした。第１偏光板はその吸収軸を液晶層の配向方向に対して略平行にして、第２偏光板はその吸収軸を第１偏光板２１の吸収軸に対して略直交させた。外部取り出し電極端子にリードフレームを取り付け、液晶表示装置を完成させた。
【００３５】
完成させた参考例１の液晶表示装置に対して第１電極と第２電極の間に１２０Ｈｚのスタティック駆動波形の駆動電圧を印加し、外観観察したところ、各表示部は良好な明状態が得られることが確認でき、明表示状態のおける視角特性は色変化が少なく極めて優れていることが分かった。ところが、駆動電圧を１５Ｖ以上に設定すると表示部でない部分においても光抜けが生じることが分かった。具体的には、上記した図４に示したＦ領域、Ｇ領域、Ｈ領域、Ｉ領域、Ｊ領域、Ｋ領域などで光抜けを生じることが分かった。代表例として、いくつかの領域における顕微鏡観察写真を以下に示す。
【００３６】
図６（Ａ）は、Ｇ領域における顕微鏡観察写真を示す図であり、図６（Ｂ）は、Ｉ領域における顕微鏡観察写真を示す図であり、図６（Ｃ）は、Ｋ領域における顕微鏡観察写真を示す図である。いずれの領域においても、表示部ではない引き回し線部分にて光抜けが生じていることが分かり、これが外観観察にて確認できる表示不良部分であることが分かった。詳細な検討の結果、これらの領域に共通する事項として、（１）第１電極に接続された引き回し配線と第２電極に接続された引き回し配線が近接していること、（２）電圧無印加時の液晶層の層厚方向の略中央における液晶分子の配向方向と引き回し配線のエッジの方向とのなす角度が上記液晶分子の配向方向と表示部における各電極のエッジの方向とのなす角度（本例では略８７°）よりも小さいこと、が挙げられる。ただし、表示部における第１電極と第２電極の電極枝の相互間隔（本例では１５μｍ）に比べると、引き回し配線同士の間隔は２倍以上（５０μｍ以上）である。なお、この不具合は、誘電率異方性が正の液晶材料を用いた場合でも同様であり、引き回し配線のエッジの方向と電圧無印加時の液晶層の略中央の液晶分子の配向方向が鋭角をなしている部分では、高い駆動電圧が与えられたときに異常点灯部分が外観から観察される。
【００３７】
上記の不具合を詳細に解析するために、参考例２として図７に示すような電極構造の液晶表示装置を作製した。具体的には、図示のように液晶層の層厚方向の略中央における液晶分子の配向方向４１がｘ方向（図中の左右方向）となるように配向制御し、表示部は配向方向に対して４５°に近いエッジを有するようにした。表示部には、第１電極と第２電極の各電極枝をかみ合わせて配置した。各電極枝の延在方向はｙ方向、すなわち液晶層の層厚方向の略中央における液晶分子の配向方向に対して略直交するようにし、各電極枝の電極エッジはｙ方向に沿って±３°で屈曲した構造とした。各電極枝の電極幅は略１５μｍとし、電極間隔も略１５μｍとした。第１電極と第２電極は、それぞれ、引き回し配線に接続されない端部が表示部のエッジに対応した形状とし、引き回し配線に接続される端部はその引き回し配線のエッジが表示部のエッジと平行な形状とした。これにより、第１電極と第２電極の各々の引き回し配線に接続されない端部の方向が液晶層の層厚方向の略中央における液晶分子の配向方向に対して斜交することになる。また、第１電極の引き回し配線と第２電極の引き回し配線のエッジ間距離は略３０μｍとした。以上のような電極構造を用いることにより、液晶層の層厚方向の略中央における液晶分子の配向方向に対してエッジが斜めに配置される部分における電圧印加時の点灯状態を確認できると考える。なお、電極構造以外の作製条件については上記した参考例１の液晶表示装置と同様である。
【００３８】
図８（Ａ）は、参考例２の液晶表示装置の第１電極と第２電極の間に０Ｖの駆動電圧を与えた際の顕微鏡観察像を示す図であり、図８（Ｂ）は、第１電極と第２電極の間に５Ｖの駆動電圧を与えた際の顕微鏡観察像を示す図であり、図８（Ｃ）は、第１電極と第２電極の間に７Ｖの駆動電圧を与えた際の顕微鏡観察像を示す図であり、図８（Ｄ）は、第１電極と第２電極の間に１０Ｖの駆動電圧を与えた際の顕微鏡観察像を示す図であり、図８（Ｅ）は、第１電極と第２電極の間に１２Ｖの駆動電圧を与えた際の顕微鏡観察像を示す図である。
【００３９】
図８（Ａ）に示すように電圧無印加時においては面内に分散散布したスペーサーの周りに光抜けが生じている以外は消光されていることが分かる。また、図８（Ｂ）に示すように、５Ｖ印加時においては、丸で囲んで示した部分と、引き回し配線のエッジ間距離が最も短い３０μｍの領域のエッジ付近で光抜けが生じていることが分かる。丸で囲んだ部分は、第１電極および第２電極のエッジの形状が表示部に合わせて斜めに形成されている部分であり、これらの電極エッジにおける光抜けと考える。これらの部分においてもエッジ間距離は略３０μｍと考えられるが、表示部内の液晶層の層厚方向の略中央における液晶分子の配向方向に対して略直交に延在する各電極枝のエッジ間に比べてエッジ間距離は２倍程度大きいにも関わらず、明表示にスイッチングする閾値電圧は低いことが明らかである。
【００４０】
図８（Ｃ）に示すように、７Ｖ印加時においては表示部内の各電極枝のエッジ付近において光抜けが生じていることから、閾値が７Ｖ付近であることが分かった。図８（Ｂ）で示した部分ではさらに光抜けの領域が大きくなり、引き回し配線のエッジ間距離が最も小さい部分では光抜けの領域がかなり広がっている様子が観察された。
【００４１】
また、図８（Ｄ）に示すように、１０Ｖ印加時においては表示部内の各電極枝のエッジから生じた光抜けが印加電圧の上昇に伴ってエッジから遠い領域へと拡大する様子が観察された。５Ｖ印加時に光抜けが生じた領域はさらに光抜けの領域が周辺に拡大し、特に引き回し配線のエッジ間距離が最も小さい部分では表示部よりも広い範囲で明状態になっている様子が観察された。さらに、右斜め上側に延在する引き回し配線のエッジ付近にて光抜けが生じ始めることも分かった。
【００４２】
図８（Ｅ）に示すように、１２Ｖ印加時においては表示部内の光抜けの領域が各電極枝のエッジからより遠い部分へ拡大しており、表示部の透過率が増加していることが分かる。そして、引き回し配線のエッジ間距離が最も小さい部分では表示部よりも広い範囲で明状態になっている様子が観察された。さらに、右斜め上側に延在する引き回し配線のエッジ付近においても光抜けがより先鋭化していることが観察された。
【００４３】
以上の観察結果から、液晶層の略中央における液晶分子の配向方向に対して斜めに交わるエッジ、特に略４５°の角度をなして交わるエッジを有する引き回し配線のエッジ間において低い駆動電圧で光抜けが生じることが明確となった。このような領域では表示部に比べてエッジ間距離が２倍以上であるにも関わらず、比較的に低い駆動電圧で光抜けが生じることから、より高い駆動電圧を与えた場合には外観観察からも異常点灯部分として認識されると考えられる。
【００４４】
一方で、図６（Ａ）〜図６（Ｃ）に示した顕微鏡観察像からは、液晶層の層厚方向における略中央の液晶分子の配向方向に対して引き回し配線のエッジが斜めに交わる部分では光抜けが生じるが、引き回し配線のエッジが液晶分子の配向方向に対して略平行又は略直交である部分では光抜けが生じにくいといえる。この点について、上記した参考例１の液晶表示装置を用いて検討する。
【００４５】
図９は、上記した図４におけるＧ領域を拡大した平面図である。第１電極と第２電極はそれぞれｙ方向（図中の上下方向）に延在しており、液晶層の層厚方向における略中央の液晶分子の配向方向４１はｘ方向（図中の左右方向）である。また、図９に示したＧ１領域、Ｇ２領域およびＧ３領域はそれぞれ、引き回し配線のエッジの方向が液晶層の層厚方向における略中央の液晶分子の配向方向４１に対して斜交する領域である。なお、Ｇ１〜Ｇ３領域以外における引き回し配線のエッジの方向は、概ね、液晶層の層厚方向における略中央の液晶分子の配向方向に対して略平行である。
【００４６】
図１０は、参考例１の液晶表示装置に１５Ｖの駆動電圧を与えた際のＧ領域の顕微鏡観察像を示す図である。図１０からも、引き回し配線のエッジの方向と液晶層の層厚方向における略中央の液晶分子の配向方向が略平行な領域においては光抜けが観察されないことが分かる。これは、液晶材料として負の誘電率異方性を有するものを用いているため、このような高い駆動電圧が与えられても液晶層内の配向変形がほぼ発生しないと考えられるためである。これらの領域における引き回し配線のエッジ間距離は０．１２ｍｍ、０．０６ｍｍ、０．０３ｍｍと様々である。しかし、光抜けのエッジ間距離に対する依存性は存在しない。一方で、液晶層の層厚方向における略中央の液晶分子の配向方向に対して引き回し配線のエッジの方向が斜交しているＧ１〜Ｇ３領域では、領域ごとにエッジの方向と液晶分子の配向方向のなす角度が異なり、引き回し配線のエッジ間距離も異なる。エッジの方向と液晶分子の配向方向のなす角度が小さく、引き回し配線のエッジ間距離が小さいＧ１領域では光抜けが明確に観察される。これに対して、Ｇ２領域およびＧ３領域では、エッジの方向と液晶分子の配向方向のなす角度はＧ１領域に比べて大きいが、エッジ間距離が小さいＧ２領域ではエッジ付近に光抜けが観察され、エッジ間距離が大きいＧ３領域では光抜けが観察されない。
【００４７】
ここで、液晶層の層厚方向における略中央の液晶分子の配向方向に対して略直交するエッジを有する引き回し配線が存在する場合のエッジ付近における光抜け状態をさらに確認するために、参考例３として、図１１に示すように略円形の表示部に対応してｙ方向（図中の上下方向）に延在する第１電極および第２電極を配置し、かつ各々に接続された引き回し配線を配置し、ｘ方向（図中の左右方向）に電圧無印加時の液晶層の層厚方向における略中央の液晶分子の配向方向が設定された液晶表示装置を作製した。なお、その他の作製条件は上記した参考例１の液晶表示装置と同様である。
【００４８】
図１２は、参考例３の液晶表示装置に対して、第１電極と第２電極の間に１５Ｖの駆動電圧を与えた際の顕微鏡観察像を示す図である。図１１におけるＬ１領域、Ｌ２領域およびＬ３領域は、いずれも引き回し配線のエッジ間距離が０．１ｍｍに設定されているが、領域Ｌ１では液晶層の層厚方向における略中央の液晶分子の配向方向に対してエッジの方向が斜交していることからエッジ付近において光抜けが生じている。一方で、液晶層の層厚方向における略中央の液晶分子の配向方向に対してエッジの方向が略直交するＬ２領域およびＬ３領域では光抜けが観察されないことが分かった。さらなる検討の結果、引き回し配線のエッジ間距離を各電極枝の相互間距離の少なくとも３倍以上に設定すれば光抜けが生じないことが分かった。例えば、第１電極と第２電極の各電極枝の相互間距離が０．０１５ｍｍとすると、Ｌ２領域およびＬ３領域の引き回し配線のエッジ間距離は０．０４５ｍｍ以上に設定されていればよいことになる。
【００４９】
（実施例）
上記の結果より、液晶層に誘電率異方性が負の液晶材料を用いた場合において引き回し配線による光抜けを抑制する為には以下の知見に基づいて液晶表示装置を構成することが有効であるといえる。
（１）表示部を構成する第１電極および第２電極のそれぞれに接続される引き回し配線のエッジが近接する領域においては、エッジの方向が液晶層の層厚方向における略中央の液晶分子の配向方向に対して略平行または略直交となるように引き回し配線を配置する。
（２）引き回し配線のエッジの方向が液晶層の層厚方向における略中央の液晶分子の配向方向に対して略平行となる領域では、光抜けの程度と引き回し配線のエッジ間距離との相関はほとんどない。
（３）引き回し配線のエッジの方向が液晶層の層厚方向における略中央の液晶分子の配向方向に対して略直交となる領域では、引き回し配線のエッジ間距離は表示部における第１電極と第２電極の各電極枝の相互間距離の３倍以上とすることが好ましく、０．１ｍｍ以上に設定することが好ましい。
【００５０】
なお、液晶層に誘電率異方性が正の液晶材料を用いた場合には、電圧無印加時における液晶層の層厚方向における略中央の液晶分子の配向方向は表示部の第１電極および第２電極の延在方向に対して略平行に配置することから、上記した液晶材料の誘電率異方性が負の場合に対して、引き回し配線のエッジの方向と液晶層の略中央における液晶分子の配向方向との関係を入れ替える必要がある。すなわち、上記した（２）と（３）の条件が以下のようになる。
（２）引き回し配線のエッジの方向が液晶層の層厚方向における略中央の液晶分子の配向方向に対して略直交となる領域では、光抜けの程度と引き回し配線のエッジ間距離との相関はほとんどない。
（３）引き回し配線のエッジの方向が液晶層の層厚方向における略中央の液晶分子の配向方向に対して略平行となる領域では、引き回し配線のエッジ間距離は表示部における第１電極と第２電極の各電極枝の相互間距離の３倍以上とすることが好ましく、０．１ｍｍ以上に設定することが好ましい。
【００５１】
上記の知見に基づく実施例の液晶表示装置について説明する。実施例の液晶表示装置は上記した参考例１の液晶表示装置と同様に、第１基板１１、第２基板１２、第１電極１３、第２電極１４、第１配向膜１５、第２配向膜１６、液晶層１７、第１偏光板２１、第２偏光板２２、引き回し配線２３、２４を備えており、表示部３１、引き回し線部３２、非表示部３３を有する（図１参照）。したがって、以下で実施例の液晶表示装置を説明する際に、参考例１〜３の液晶表示装置と共通する構成要素については同一名称、同一符号を用いたうえで、それらの詳細な説明については適宜省略する。
【００５２】
図１３は、実施例の液晶表示装置における第１電極（セグメント電極）および引き回し配線の構成例を示す平面図である。図１４は、実施例の液晶表示装置における第２電極（コモン電極）および引き回し配線の構成例を示す平面図である。図１５は、実施例の液晶表示装置における第１電極と第２電極を一緒に示した平面図である。なお、図１５では同一面上に配置される第１電極１３と第２電極１４を識別する都合上、第２電極１４を点線により示している。図１３〜図１５においては、液晶層の層厚方向における略中央の液晶分子の配向方向が図中の左右方向に対応している。
【００５３】
図１３〜図１５に示すように、引き回し配線２３と引き回し配線２４のエッジ同士が近接する領域においては、すべてのエッジの方向が液晶層の層厚方向における略中央の液晶分子の配向方向に対して略直交し、または略平行となるように各引き回し配線２３、２４を形成した。また、引き回し配線２３と引き回し配線２４のエッジの最も接近した箇所でのエッジ間距離が０．０５ｍｍ以上となるようにした。これにより、表示部の第１電極１３および第２電極１４の各電極枝の相互間距離（本例では０．１５ｍｍ）に比べてエッジ間距離が３倍以上になる。上記で示した通り、引き回し配線２３と引き回し配線２４のエッジの最も近接した箇所でのエッジ間距離は０．１ｍｍに設定してもよい。
【００５４】
一例として、図１５におけるＧ領域を拡大した平面図を図１６に示す。引き回し配線のエッジ同士が近接する領域においては、すべてのエッジの方向が液晶層の層厚方向における略中央の液晶分子の配向方向４１に対して略直交し、または略平行となっており、また、エッジ間距離が第１電極１３および第２電極１４の各電極枝の相互間距離に比べて３倍以上に設定されている。このようにすることで、引き回し配線のエッジ間における異常点灯を抑制することができる。
【００５５】
なお、液晶層の液晶材料の誘電率異方性が負の場合には、液晶層の層厚方向における略中央の液晶分子の配向方向に対して各引き回し配線のエッジの方向が略平行である場合のエッジ間距離を当該液晶分子の配向方向に対して各引き回し配線のエッジの方向が略直交する場合のエッジ間距離に比べて小さく設定してもよい。また、液晶層の液晶材料の誘電率異方性が正の場合には、液晶層の層厚方向における略中央の液晶分子の配向方向に対して各引き回し配線のエッジの方向が略直交する場合のエッジ間距離を当該液晶分子の配向方向に対して各引き回し配線のエッジの方向が略平行である場合のエッジ間距離に比べて小さく設定してもよい。
【００５６】
ここで、実施例の液晶表示装置における第１電極と第２電極の構成については、例えば上記した参考例１と同様にすることができる（図５（Ａ）、図５（Ｂ）参照）。また、上記の検討により、液晶層の層厚方向における略中央の液晶分子の配向方向に対して各電極のエッジの方向が斜交する場合、特に略４５°の角度をなして斜交する場合においてはより低電圧でエッジ付近の光抜けを生じることから、表示部内の第１電極および第２電極の各電極枝のエッジを液晶分子の配向方向に対して斜交させること、例えば略４５°に配置することも考えられる。これについて以下に説明する。
【００５７】
図１７（Ａ）と図１７（Ｂ）は、それぞれ、実施例の液晶表示装置における第１電極と第２電極の詳細な構成例を示す平面図である。図１７（Ａ）に示すように第１電極１３と第２電極１４は、それぞれの電極枝１３ａ、１４ａがｘ方向に沿って交互に配置されており、かつｙ方向に沿って延在している。各電極枝１３ａと各電極枝１４ａは、いずれも屈曲した電極エッジを有する。それぞれのエッジは、各電極枝の延在方向であるｙ方向に対して＋４５°の角度をなすエッジと−４５°の角度をなすエッジを交互に配置し、接続した構造を有する。各電極枝１３ａ、１４ａの電極幅は１５μｍであり、隣り合う電極枝１３ａと電極枝１４ａの配置間隔は１５μｍに設定されている。なお、電極幅と配置間隔は等しくなくてもよい。また、電極幅は５μｍ〜３０μｍ程度とすることが好ましい。このとき、液晶層の層厚方向における略中央の液晶分子の配向方向を図中のｘ方向またはｙ方向に設定することにより、この液晶分子の配向方向と各電極枝のエッジが斜交することから閾値電圧を低下させる効果が得られる。また、図１７（Ｂ）に示すように、第１電極１３および第２電極１４の各電極枝の延在方向自体が液晶層の層厚方向における略中央の液晶分子の配向方向に対して４５°の角度をなすように配置され、かつ各電極枝が交互に配置された場合にも同様に閾値電圧を低下する効果が得られる。また、これらの電極構造を用いた場合には、閾値電圧を低下する効果が得られることから駆動電圧をより低くすることができる。このような駆動電圧の低電圧化により、引き回し配線のエッジ付近において光抜けが生じる可能性をより低くすることができる。
【００５８】
図１７（Ａ）に示したように、表示部における第１電極１３および第２電極１４の各電極枝のエッジの方向を液晶層の層厚方向における略中央の液晶分子の配向方向に対して略４５°の角度をなすように設定し、かつ引き回し線２３、２４のエッジの方向を液晶層の層厚方向における略中央の液晶分子の配向方向に対して略平行または略直交に設定した場合には、各電極枝の相互間距離よりも引き回し配線のエッジ間距離を１．５倍以上に設定することが好ましい。それにより、引き回し配線のエッジ付近における光抜けをより効果的に抑制することができる。また、表示部における第１電極１３および第２電極１４の各電極枝のエッジの方向を液晶層の層厚方向における略中央の液晶分子の配向方向に対して１５°以上４５°以下の角度をなすように設定した場合には、引き回し配線２３、２４のエッジの方向を表示部の第１電極１３および第２電極１４の各電極枝のエッジの方向に対して１０°以上の角度をなすように配置し、かつ、引き回し配線２３、３４のエッジの方向と液晶層の層厚方向における略中央の液晶分子の配向方向とのなす角度が０°に近い（平行に近い）かまたは９０°に近い（直交に近い）状態であり、かつ、各電極枝の相互間距離よりも引き回し配線のエッジ間距離を１．５倍以上、より好ましくは２倍以上に設定することが好ましい。それにより、引き回し配線のエッジ付近における光抜けをより効果的に抑制することができる。
【００５９】
また、上記した実施例では、表示部の輪郭がｘ方向とｙ方向のいずれとも平行ではない部分についてはその輪郭に合わせて第１電極および第２電極の端部を形成していたが、図１８に例示するように、表示部の輪郭に対応して階段状に第１電極および第２電極の端部を形成してもよい。なお、例示した図は上記した図１５におけるＧ領域を拡大した平面図であり、「Ｓ」の文字の一部が示されている。この場合、表示部の輪郭は曲線状であり、ｘ方向、ｙ方向のいずれとも平行ではない。このような部分を図１８に示すように輪郭に合わせて階段状に形成することにより、第１電極および第２電極の端部におけるわずかな光抜けの発生も抑制することが可能となる。
【００６０】
なお、本発明は上述した内容に限定されるものではなく、本発明の要旨の範囲内において種々に変形して実施をすることが可能である。例えば、上記した実施例では液晶層が電圧無印加時において一軸水平配向の場合について説明したが、ねじれ配向であってもよい。
【符号の説明】
【００６１】
１１：第１基板、
１２：第２基板
１３：第１電極
１４：第２電極
１３ａ、１４ａ：電極枝
１５：第１配向膜
１６：第２配向膜
１７：液晶層
２１：第１偏光板
２２：第２偏光板
２３、２４：引き回し配線
３１：表示部
３２：引き回し線部
３３：非表示部
【図１】
2014016579.tif 000003
【図２】
2014016579.tif 000004
【図３】
2014016579.tif 000005
【図４】
2014016579.tif 000006
【図５】
2014016579.tif 000007
【図７】
2014016579.tif 000008
【図９】
2014016579.tif 000009
【図１１】
2014016579.tif 000010
【図１３】
2014016579.tif 000011
【図１４】
2014016579.tif 000012
【図１５】
2014016579.tif 000013
【図１６】
2014016579.tif 000014
【図１７】
2014016579.tif 000015
【図１８】
2014016579.tif 000016
【図６】
2014016579.tif 000017
【図８】
2014016579.tif 000018
【図１０】
2014016579.tif 000019
【図１２】
2014016579.tif 000020